(57)【要約】【課題】引き出し内においても網籠を安定に設置することができ、把手が常に掴み易く、利便性を向上することのできる新しい網籠とそれを備えた引き出しを提供する。【解決手段】引き出し内に設置される左右一対の把手部（２１）を有する網籠（１０）であって、網籠（１０）の左右両端の各々で、縦棒（１１）間の前後において網籠（１０）上方部の横棒（１２）に配設された支持部（２０）に把手部（２１）が具備され、この把手部（２１）は、引き出し内の側面上端部（３０）に着脱自在に係合される網籠とする。【選択図】      図１
2004254753.tif 000002
【特許請求の範囲】
【請求項１】
引き出し内に設置される左右一対の把手部を有する網籠であって、網籠の左右両端の各々で、縦棒間の前後において網籠上方部の横棒に配設された支持部に把手部が具備され、この把手部は、引き出し内の側面上端部に着脱自在に係合することを特徴とする網籠。
【請求項２】
支持部が、網籠横棒に対して回動自在である請求項１の網籠。
【請求項３】
支持部が、引き出し側面上端部に架渡すように延設され、把手部が引き出し側面上端部の外側へ膨出して設けられている請求項１または２の網籠。
【請求項４】
支持部が、引き出し側面上端部手前まで延設され、把手部がその支持部から引き出し側面上端部に架渡すように延設して設けられている請求項１または２の網籠。
【請求項５】
把手部が、滑り止め部材を具備している請求項１ないし４のいずれかの網籠。
【請求項６】
請求項１ないし５のいずれかの網籠を備えている引き出し。
【発明の詳細な説明】
【０００１】
【発明の属する技術分野】
この出願の発明は、網籠に関するものである。さらに詳しくは、この出願の発明は網籠とこれを備えた引き出しに関するものである。
【０００２】
【従来の技術】
従来より、キャビネットやラック等の収納庫内には、引き出し、網籠、棚板等が適宜設けられている。そして、通常、これらの引き出し、網籠、棚板等は、両側縁を収納庫の内面に設けた支持桟にて支持されている。
【０００３】
たとえば、図７に例示したように、収納庫（９０）内に収納容器である網籠（１１０）を設置した構造として、収納庫（９０）の側板（９３）の内面側に網籠（１１０）の左右両端を摺動自在に保持するようにした収納庫が提案されている（特許文献１）。
【０００４】
この収納庫（９０）では、天板（９１）、底板（９２）および左右の側板（９３）からなる箱体の両側板（９３）の内面に支持桟（１００）が設けられている。
【０００５】
しかしながら、この収納庫（９０）の場合、設置された網籠（１１０）は剥き出しの露出状態にあるため、収納物が外から見えてしまい、意匠的に問題があるとともに、網籠（１１０）の網目よりも小さい収納物等は、網目をすり抜けて落下してしまうといった問題もあった。また、出し入れの際に生じる振動等によって網籠（１１０）が揺れて、収納物の転倒や網籠（１１０）から収納物が落下しやすくなる等の問題があった。
【０００６】
一方で、上記のような意匠性の問題や網目からの収納物の落下の問題を解消するために、把手付きの網籠を引き出し内に設置することも考慮されている。図８は、網籠を引き出し内に設置した構造の例を要部拡大図として示したものであるが、この場合、網籠（１２０）には、持ち運び等を考慮して、回動式の把手（１２１）が取り付けられており、引き出しの底板（１３０）の上に具備されているトレー（１４０）上に網籠（１２０）が載置されることによって、網籠（１２０）の安定化が図られ、また、レール部（１５０）によって、引き出しの出し入れが可能とされている。だが、この構造においても引き出しの出し入れに伴って、網籠（１２０）が引き出し内で大きく揺れ、網籠（１２０）内の収納物が転倒したり、散らばったりする等の不都合が依然として残されており、さらに把手（１２１）については、振動等によって、図８のように把手（１２１）が桟材（１６０）等の下方に下がってしまい、把手（１２１）が掴みにくくなり、網籠（１２０）の引き出しからの取り出しが簡単ではない場合があった。
【０００７】
【特許文献１】
特開平９−２３４１３１号公報
【０００８】
【発明が解決しようとする課題】
そこでこの出願の発明は、以上のとおりの事情に鑑みてなされたものであって、従来の問題点を解消し、網籠による収納庫内への収納において、収納庫の意匠性や網目からの収納物の落下防止性の向上を図るとともに、網籠の揺れによる収納物の転倒や散らばりという不都合をできるだけ抑えて網籠を安定に設置することができ、しかも網籠の把手が常に掴み易く、網籠の取り出しを容易とすることのできる新しい網籠とそれを備えた引き出しを提供することを課題としている。
【０００９】
【課題を解決するための手段】
この出願の発明は、上記の課題を解決する手段として、第１には引き出し内に設置される左右一対の把手部を有する網籠であって、網籠の左右両端の各々で、縦棒間の前後において網籠上方部の横棒に配設された支持部に把手部が具備され、この把手部は、引き出し内の側面上端部に着脱自在に係合することを特徴とする網籠を提供する。またこの出願の発明は、第２には、支持部が、網籠横棒に対して回動自在である網籠を、第３には、支持部が、引き出し側面上端部に架渡すように延設され、把手部が引き出し側面上端部の外側へ膨出して設けられている網籠を、第４には、支持部が、引き出し側面上端部手前まで延設され、把手部がその支持部から引き出し側面上端部に架渡すように延設して設けられている網籠を提供し、第５には把手部が、滑り止め部材を具備している網籠を提供する。
【００１０】
そして、この出願の発明は、第６には、前記発明のいずれかの網籠を備えた引き出しをも提供する。
【００１１】
【発明の実施の形態】
この出願の発明は上記のとおりの特徴をもつものであるが、以下にその実施の形態について詳しく説明する。
【００１２】
添付した図面に沿って説明すると、図１は、この出願の発明の網籠を引き出し内に設置した一実施形態を模式的に例示した正断面図であり、図２は、その要部の拡大図と斜視図である。また、図３は、図１および２に例示した網籠の側面図である。
【００１３】
この例においては、網籠（１０）は、複数の縦棒（１１）、横棒（１２）から構成されている。そして、図３から明らかなようにこれら複数の縦棒（１１）の間に、かつ、上方部の横棒（１２）上に、図１のように引き出し左右両側面に一対の支持部（２０）が配設され、またこの支持部（２０）には把手部（２１）が具備されている。この把手部（２１）は、引き出しの側面上端部（３０）に着脱自在に係合されるようにしている。つまり、このような構成の網籠（１０）を引き出し本体の底板（４０）上のトレー（５０）に載置し、そして前記の把手部（２１）を引き出しの側面上端部（３０）に係合させるようにしている。
【００１４】
網籠（１０）を引き出しの底板（４０）上のトレー（５０）に載置することで、収納庫として意匠性が良好とされるとともに、網目から収納物が落下するという不都合が解消されるとともに、把手部（２１）を具備した支持部（２０）が上記配置によって、すなわち、たとえば、図３に例示したとおり、引き出し方向の前方側の支持部（２０）は、網籠縦棒（１１）のすぐ前に当接配設され、引き出し方向後方側の支持部（２０）は、網籠縦棒（１１）のすぐ後に当接配設されることによって、しっかりと網籠に連結され、かつ、把手部（２１）引き出し側面上端部（３０）に係合されることから、網籠（１０）を引き出し内部にしっかりと安定保持させることができる。底板（４０）側のレール部材（６０）と収納庫側板（８０）側のレール部材（７０）との係合によって前後にスライド摺動が可能とされている引き出しの開閉によって生じる振動等による網籠（１０）の揺れの安定性が向上することになる。しかも、把手部（２１）は、掴み易い位置に着脱自在に係合されているため、網籠（１０）を簡便、かつ、容易に引き出しから取り出すことができる。なお、上記の側面上端部（３０）は、収納物の落下等を防止する引き出しの桟材等とすることができる。
【００１５】
また、支持部（２０）を横棒（１２）に対して回動自在に配設することによって、把手部（２１）をもっての網籠の引き出しからの取り出しや、引き出しての収納はより容易になる。
【００１６】
網籠（１０）に配設されている支持部（２０）の形態としては、上記のとおり、引き出しの側面上端部（３０）に架渡すように延設され、把手部（２１）が引き出し側面上端部（３０）の外側へ膨出して、着脱自在に設けられているものとしてもよいし、図４から図６の例のように、別の形態として、支持部（２０）が、前記の側面上端部（３０）の手前まで延設され、把手部（２１）がその支持部（２０）から引き出し側面上端部（３０）に架渡すように延設して、着脱自在に設けられているようにしてもよい。
【００１７】
後者の形態では、図４から図６に例示したように、支持部（２０）が、引き出しの側面上端部（３０）手前まで延設されており、把手部（２１）は支持部（２０）から前記の側面上端部（３０）に架渡すように延設されている。そして、この実施形態の場合においても前記の側面上端部（３０）と把手部（２１）は着脱自在に係合することができる。
【００１８】
また、この出願の発明の網籠（１０）に配設された支持部（２０）に具備された把手部（２１）には、滑り止め部材（２２）が備えられていることも考慮されている。滑り止め部材（２２）となる材質は、たとえば、ゴムやシリコーン等を挙げることができるが、滑り止めの効果が得られるものなら、これらに限定されるものではない。
【００１９】
この出願の発明の網籠は、上記に例示したとおり、引き出し等の収納空間に設置して使用する。網籠（１０）には、設置や取り出し等の作業に配慮した、把手部（２１）が配設されているため、あらかじめ網籠（１０）に所望の収納物を収納して、網籠（１０）を引き出し内等の収納空間に設置する際にも、また網籠（１０）を取り出す際においても簡便に実施することができる。もちろん、この出願の発明は、以上の例示によって限定されることはない。その細部の形態は様々に可能である。
【００２０】
【発明の効果】
以上詳しく説明したとおり、この出願の発明によって、網籠を引き出し内に安定に設置することができ、把手が常に掴み易く、利便性を向上することのできる新しい網籠とそれを備えた引き出しが提供される。
【図面の簡単な説明】
【図１】この出願の発明の網籠を引き出し内に設置した一実施形態を模式的に例示した正断面図である。
【図２】図１に例示した実施形態における網籠の要部の拡大図と斜視図である。
【図３】図１および２に例示した網籠の側面図である。
【図４】この出願の発明の網籠を引き出し内に設置した別の実施形態を例示した正断面図である。
【図５】図４に例示した実施形態における網籠の要部の拡大図と斜視図である。
【図６】図４および５に例示した網籠の側面図である。
【図７】従来の網籠を設置したキャビネットを例示した正面図である。
【図８】別の従来の網籠を引き出し内に設置した形態を例示した要部拡大断面図である。
【符号の説明】
１０  網籠
１１  縦棒
１２  横棒
２０  支持部
２１  把手部
２２  滑り止め部材
３０  側面上端部
４０  底板
５０  トレー
６０、７０  レール部材
８０  側板
９０  収納庫
９１  天板
９２  底板
９３  側板
１００    支持桟
１１０    網籠
１２０    網籠
１２１    把手
１３０    底板
１４０    トレー
１５０    レール部
１６０    桟材
【図１】
2004254753.tif 000003
【図２】
2004254753.tif 000004
【図３】
2004254753.tif 000005
【図４】
2004254753.tif 000006
【図５】
2004254753.tif 000007
【図６】
2004254753.tif 000008
【図７】
2004254753.tif 000009
【図８】
2004254753.tif 000010